(57)【要約】【目的】本発明は、鍵付のボックス内にハブを固定し、当該ボックスのケーブル通し穴を通して外部から引き込んだケーブルの先端に接続されたコネクタを、当該ハブの接続口に挿入して接続可能にしたハブボックスに関し、外部からボックス内のハブのコネクタ接続口が見えなくかつ差し込み不可あるいは抜き差し不可とし、不用意な情報の漏洩の発生を未然に防止することを目的とする。【構成】  ボックスの前記ケーブル通し穴を、ボックスの６辺のうちの対向するいずれかの２辺あるいは２辺のうちのいずれか一方のほぼ中央に設け、設けた２組あるいは１組のケーブル通し穴に対して、ハブを固定するハブ固定金具あるいは別の金具でそれぞれ仕切ったケーブル通し穴のある区画と反対側のそれぞれの区画にハブの接続口をそれぞれ配置する。【選択図】        図１
2006294801.tif 000002
【特許請求の範囲】
【請求項１】
鍵付のボックス内にハブを固定し、当該ボックスのケーブル通し穴を通して外部から引き込んだケーブルの先端に接続されたコネクタを、当該ハブの接続口に挿入して接続可能にしたハブボックスにおいて、
前記ボックスの前記ケーブル通し穴を、当該ボックスの６辺のうちの対向するいずれかの２辺あるいは２辺のうちのいずれか一方のほぼ中央に設け、当該設けた２組あるいは１組のケーブル通し穴に対して、当該ハブを固定するハブ固定金具あるいは別の金具でそれぞれ仕切った当該ケーブル通し穴のある区画と反対側のそれぞれの区画に当該ハブの接続口をそれぞれ配置したことを特徴とするハブセキュリティボックス。
【請求項２】
前記ボックスの複数を設けたときに当該複数のボックスの前記ケーブル通し穴が全て外側に向くようにしたことを特徴とする請求項１記載のハブセキュリティボックス。
【請求項３】
前記ボックス内の反対側の区画を１つ設けて１組のハブを固定したことを特徴とする請求項１あるいは請求項２記載のハブセキュリティボックス。
【請求項４】
鍵付のボックス内にハブを固定し、当該ボックスのケーブル通し穴を通して外部から引き込んだケーブルの先端に接続されたコネクタを、当該ハブの接続口に挿入して接続可能にしたハブボックスにおいて、
前記ボックスの前記ケーブル通し穴を、当該ボックスの６辺のうちの対向するいずれかの２辺のほぼ縁にそれぞれ設けあるいは２辺のほぼ中央にそれぞれ設け、当該設けたケーブル通し穴に対して、当該ハブを固定するハブ固定金具あるいは別の金具でそれぞれ仕切った当該ケーブル通し穴のある区画と反対側の中央の区画に当該ハブの接続口をそれぞれ配置したことを特徴とするハブセキュリティボックス。
【請求項５】
前記ボックスの複数を設けたときに当該複数のボックスの前記ケーブル通し穴が全て外側に向くようにしたことを特徴とする請求項４記載のハブセキュリティボックス。
【請求項６】
前記ボックス内のケーブル通し穴のある側の区画を１つ設けて１組のハブを固定したことを特徴とする請求項４あるいは請求項５記載のハブセキュリティボックス。
【発明の詳細な説明】
【技術分野】
【０００１】
本発明は、鍵付のボックス内にハブを固定し、当該ボックスのケーブル通し穴を通して外部から引き込んだケーブルの先端に接続されたコネクタを、当該ハブの接続口に挿入して接続可能にしたハブセキュリティボックスに関するものである。
【背景技術】
【０００２】
従来、事務所内の各机上に置いたパソコンはハブとＬＡＮケーブルで接続し、当該ハブを経由してサーバにアクセスしたり、電子メールの送受信を行っている。この際、ハブは机の下などに適宜配置していた。
【０００３】
また、外的要因によってハブに接続したＬＡＮケーブルのコネクタが破損することを防止するためにハブを鍵付のＨＵＢボックス内に収める技術がある（特許文献１）。
【特許文献１】特開２００３−１４２８３５号公報
【発明の開示】
【発明が解決しようとする課題】
【０００４】
上述した前者では、机の下などに置いたハブにパソコンからのＬＡＮケーブルなどのコネクタを接続するために、配線が煩雑となると共に、ＬＡＮケーブルなどのコネクタを外して別のＬＡＮケーブルなどのコネクタを接続してネットワークにアクセスし、情報の不用意な漏洩が発生してしまう恐れがあるという問題があった。
【０００５】
また、上述した後者では、ハブに接続したケーブルのコネクタの外部要因による破損は防止できるが、コネクタの差し替えや新たなコネクタの差し込みなどによる情報の不用意な漏洩について十分な対策がされていないという問題があった。
【課題を解決するための手段】
【０００６】
本発明は、これらの問題を解決するため、ボックス内に設置したハブのケーブル接続口がケーブル通し穴から見えなくて外部から差し込み不可あるいは抜き差し不可の場所に配置すると共に鍵を設けるようにしている。
【発明の効果】
【０００７】
本願発明は、外部からボックス内のハブのコネクタ接続口が見えなくかつ差し込み不可あるいは抜き差し不可とし、不用意な情報の漏洩の発生を未然に防止することが可能となる。
【発明を実施するための最良の形態】
【０００８】
本発明は、ボックス内に設置したハブのケーブル接続口がケーブル通し穴から見えなくて外部から差し込み不可あるいは抜き差し不可の場所に配置すると共に鍵を設け、不用意な情報の漏洩の発生を未然に防止することを実現した。
【実施例１】
【０００９】
図１は、本発明の実施例構造図を示す。
図１の（ａ）はボックス１のほぼ中央にケーブル通し穴５を設けた例を示し、図１の（ｂ）はボックス１のほぼ縁にケーブル通し穴５を設けた例を示す。
【００１０】
図１の（ａ）中の、（ａ−１）はボックス１の正面の蓋を開けた状態の正面図を示し、（ａ−２）は側面図を示し、（ａ−３）はボックス１の正面の鍵つき蓋を閉めた状態の正面図を示す。
【００１１】
図１の（ａ）において、ボックス１は、ここでは、図示のように、左側のハブ３の接続口４を左側向き、右側のハブ３の接続口４を右側向きにハブ固定金具２２で当該ボックス１に固定したものである。当該ハブ固定金具２でハブ３をそれぞれ固定することにより、中央の区画（１）８と、左右の２つの区画（２）９とがそれぞれ隔離され、ケーブルのみが中央の区画（１）８から区画（２）９へ引き回し可能となり、中央の区画（１）８に設けたケーブル通し穴５の外部からは、ハブ３の接続口４を見たり、接続口４に接続されているケーブルの先端のコネクタを抜き差ししたり、新たにコネクタを当該接続口４にケーブル通し穴５の外部から差し込んだりは不可能なように構成している。
【００１２】
ハブ固定金具２は、ハブ３をボックス１に固定する金具であって、ケーブル通し穴５のある区画（１）８と、ハブ３の接続口４がある区画（２）９とを隔離するためのものである。
【００１３】
ハブ３は、ボックス１内に固定するハブであって、ＬＡＮケーブルの先端のコネクタを当該ハブ３の接続口４に挿入して固定し、ＬＡＮに接続するためのものである。
【００１４】
接続口４は、ハブ３に設けた複数の接続口であって、ＬＡＮケーブルの先端のコネクタを差し込んで固定し、ＬＡＮに接続するためのものである。
【００１５】
ケーブル通し穴５は、ボックス１に設けた穴であって、外部のパソコンなどからのＬＡＮケーブルの先端に固定したコネクタを、内部に通してハブ３の接続口４に挿入して接続するためのものである。
【００１６】
ケーブル通し６は、ハブ固定金具２でハブ３をボックス１に固定したときに、ケーブル通し穴５のある区画（１）８からハブ３の接続口４のある区画（２）９へ当該ケーブルのみを通すための通路である。外部からは当該ケーブル通し６を通して、ハブ３の接続口３を見たり、接続口３に挿入されて固定されているコネクタを抜き差ししたり、新たなコネクタを差し込んで固定したりできないようにしている（このため、必要に応じて狭くかつ曲がりくねった経路としてもよい）。
【００１７】
カバー７は、ボックス１のカバーであって、図１の（ａ−１）の当該カバー７が開いた状態から閉めて図１の（ａ−３）のようにし、鍵１１をかけるためのものである。
【００１８】
区画（１）８は、ボックス１にケーブル通し穴５を設けた部分の区画である。
区画（２）９は、ボックス１にハブ３をハブ固定金具２で固定した状態で、ケーブル通し穴５のある区画（１）８と隔離された当該ハブ３の接続口４がある部分の区画である。
【００１９】
鍵１１は、カバー７を閉めた状態で開かないようにするための鍵である。
自立用金具１２は、ボックス１が自立させるための金具（高さ調整機構を持った金具）である。
【００２０】
以上の構造を持つことにより、鍵１１を開けて図１の（ａ−１）の状態にし、ＬＡＮケーブルの先端のコネクタをケーブル通し穴５を通して区画（１）８に入れ、次に、区画（１）８からケーブル通し６を通して区画（２）９に入れた状態で、当該コネクタをハブ３の接続口４に挿入して固定する。そして、カバー７を閉じて鍵を閉にする。これにより、第三者は、ケーブル通し穴５からハブ３の接続口に挿入して固定されているＬＡＮケーブルの先端のコネクタを見ることができず、また、ケーブル通し穴５から当該コネクタを抜き差ししたり、更に、新たなＬＡＮケーブルのコネクタをハブ３の接続口４に挿入して固定してＬＡＮ接続したりすることができなく、セキュリティを保持することが可能となる。
【００２１】
次に、ケーブル通し穴５１をボックス１の両側の縁にそれぞれ設けた場合の例を説明する。
【００２２】
図１の（ｂ）中の、（ｂ−１）はボックス１の正面の蓋を開けた状態の正面図を示し、（ｂ−２）は側面図を示し、（ｂ−３）はボックス１の正面の鍵つき蓋を閉めた状態の正面図を示す。
【００２３】
図１の（ｂ）において、ボックス１は、ここでは、図示のように、左側のハブ３の接続口４を右側向き、右側のハブ３の接続口４を左側向きにハブ固定金具２２で当該ボックス１に固定したものである。当該ハブ固定金具２でハブ３をそれぞれ固定することにより、中央の区画（２）９と、左右の２つの区画（１）８とがそれぞれ隔離され、ケーブルのみが左あるいは右の区画（１）８から中央の区画（２）９へ引き回し可能となり、左および右の区画（１）８に設けたケーブル通し穴５１の外部からは、ハブ３の接続口４を見たり、接続口４に接続されているケーブルの先端のコネクタを抜き差ししたり、新たにコネクタを当該接続口４にケーブル通し穴５１の外部から差し込んだりは不可能なように構成している。
【００２４】
ハブ固定金具２は、ハブ３をボックス１に固定する金具であって、ケーブル通し穴５１のある区画（１）８と、ハブ３の接続口４がある区画（２）９とを隔離するためのものである。
【００２５】
ハブ３は、ボックス１内に固定するハブであって、ＬＡＮケーブルの先端のコネクタを当該ハブ３の接続口４に挿入して固定し、ＬＡＮに接続するためのものである。
【００２６】
接続口４は、ハブ３に設けた複数の接続口であって、ＬＡＮケーブルの先端のコネクタを差し込んで固定し、ＬＡＮに接続するためのものである。
【００２７】
ケーブル通し穴５１は、ボックス１に設けた穴であって、外部のパソコンなどからのＬＡＮケーブルの先端に固定したコネクタを、内部に通してハブ３の接続口４に挿入して接続するためのものである。
【００２８】
ケーブル通し６は、ハブ固定金具２でハブ３をボックス１に固定したときに、ケーブル通し穴５１のある区画（１）８からハブ３の接続口４のある区画（２）へ当該ケーブルのみを通すための通路である。外部からは当該ケーブル通し６を通して、ハブ３の接続口３を見たり、接続口３に挿入されて固定されているコネクタを抜き差ししたり、新たなコネクタを差し込んで固定したりできないようにしている（このため、必要に応じて狭くかつ曲がりくねった経路としてもよい）。
【００２９】
カバー７は、ボックス１のカバーであって、図１の（ｂ−１）の当該カバー７が開いた状態から閉めて図１の（ｂ−３）のようにし、鍵１１をかけるためのものである。
【００３０】
区画（１）８は、ボックス１にケーブル通し穴５１を設けた部分の区画である。
区画（２）９は、ボックス１にハブ３をハブ固定金具２で固定した状態で、ケーブル通し穴５１のある区画（１）８と隔離された当該ハブ３の接続口４がある部分の区画である。
【００３１】
鍵１１は、カバー７を閉めた状態で開かないようにするための鍵である。
自立用金具１２は、ボックス１が自立させるための金具（高さ調整機構を持った金具）である。
【００３２】
以上の構造を持つことにより、鍵１１を開けて図１の（ｂ−１）の状態にし、ＬＡＮケーブルの先端のコネクタをケーブル通し穴５１を通して区画（１）８に入れ、次に、区画（１）８からケーブル通し６を通して区画（２）９に入れた状態で、当該コネクタをハブ３の接続口４に挿入して固定する。そして、カバー７を閉じて鍵を閉にする。これにより、第三者は、ケーブル通し穴５１からハブ３の接続口に挿入して固定されているＬＡＮケーブルの先端のコネクタを見ることができず、また、ケーブル通し穴５１から当該コネクタを抜き差ししたり、更に、新たなＬＡＮケーブルのコネクタをハブ３の接続口４に挿入して固定してＬＡＮ接続したりすることができなく、セキュリティを保持することが可能となる。
【００３３】
図２は、本発明の説明図を示す。
図２の（ａ）は図１の（ａ）のボックス１を複数接続した様子を模式的に示し、図２の（ｂ）は図１の（ｂ）のボックス１を複数接続した様子を模式的に示す。
【００３４】
図２の（ａ）において、図１の（ａ）のボックス１を複数、ここでは、右方向に複数接続した構造を持たせることにより、ハブが２台の図１の（ａ）の構造に対し、ハブが３台、４台、５台・・・ｎ台とハブ数を任意数に増加させることが可能となる。
【００３５】
同様に、図２の（ｂ）において、図１の（ｂ）のボックス１を複数、ここでは、右方向に複数接続した構造を持たせることにより、ハブが２台の図１の（ｂ）の構造に対し、ハブが３台、４台、５台・・・ｎ台とハブ数を任意数に増加させることが可能となる。
【００３６】
図３は、本発明の他の実施例構造図（１台）を示す。
図３の（ａ）は図１の（ａ）のハブ３が１台の場合の構造例を示し、図３の（ｂ）は図１の（ｂ）のハブ３が１台の場合の構造例を示す。
【００３７】
図３の（ａ）において、ハブ３の１台を図示のようにボックス１に固定することにより、図１の（ａ）と同じ構造で、ハブ３を１台のみ（ハブ３を１組のみ）に減らすことが可能となる。
【００３８】
図３の（ｂ）において、ハブ３の１台を図示のようにボックス１に固定することにより、図１の（ｂ）とほぼ同じ構造で、ハブ３を１台のみ（ハブ３を１組のみ）に減らすことが可能となる。この際、ポート隠し板２１を新たに設けて図示のように固定（ハブ固定金具１の場所に固定）し、ケーブル通し穴５１からハブ３の接続口４が見えなく、かつケーブルのコネクタの抜き差しし、差し込みが不可のようにガードする。
【００３９】
以上のような構造を持たせることにより、図１の（ａ）あるいは（ｂ）の構造のまま、１台（１組）のハブ３のみをボックス１に固定し、ケーブル通し穴５，５１からハブ３の接続口３が見えなく、かつケーブルのコネクタを抜き差し、新たなコネクタを差し込んだりできないようにすることが可能となる。
【００４０】
図４は、本発明の他の実施例構造を示す。
図４の（ａ）はカバー７を開いた状態を示し、図４の（ｂ）はカバー７を閉じて鍵１１を閉めた状態を示す。これは、図示のように、ケーブル通し穴５１を上部と下部に設けると共に、ハブ３の接続口４を中央の部分（区画（２）９）に設けたものであって、図１の（ｂ）の変形例を示す。図４の場合には、既述した図１の（ｂ）の横向き型を当該図４の縦向き型にした例に相当し、ケーブル通し穴５１を図示の上側および下側に設けている。他は、図１の（ｂ）と同じであるので、当該図１の（ｂ）の説明を参照。
【００４１】
図５は、本発明の他の実施例構造図を示す。これは、図４のハブ３が１台の場合の構造例を示す。
【００４２】
図５の（ａ）はカバー７を開いた正面図を示し、図５の（ｂ）は側面断面図を示す。
図５において、ハブ３の１台を図示のようにボックス１に固定することにより、図４と同じ構造で、ハブ３を１台のみ（ハブ３を１組のみ）に減らすことが可能となる。この際、ポート隠し板２１を新たに設けて図示のように固定（ハブ固定金具１の場所に固定）し、ケーブル通し穴５１から見えなく、かつケーブルのコネクタの抜き差しし、差し込みが不可のようにガードする。
【００４３】
以上のような構造を持たせることにより、図４の構造のまま、１台（１組）のハブ３のみをボックス１に固定し、ケーブル通し穴５１からハブ３の接続口３が見えなく、かつケーブルのコネクタを抜き差し、新たなコネクタを差し込んだりできないようにすることが可能となる。
【００４４】
図６は、本発明の事務所内での設置例を示す。事務所内では、通常、複数の机１３、例えば４組の机１３を図示のように配置するので、当該４組の机１３の一方の側に、図１から図５で説明したボックス１を配置し、各机１３上の図示外のパソコンからのＬＡＮケーブルの先端のコネクタを当該ボックス１内のハブ３の接続口４にそれぞれ挿入して固定した後、カバー７を閉めて鍵１１を閉にすることにより、第三者はボックス１内のハブ３の接続口４に挿入して固定されたＬＡＮケーブルのコネクタを抜き差ししたり、他のＬＡＮケーブルのコネクタを当該ボックス１内のハブ３の接続口４に差し込んだりすることが不可能となる。これにより、第三者がＬＡＮケーブルのコネクタをハブ３の接続口４に無断に挿入して接続し、ネットワークを介してサーバ、更に、他のパソコンなどから情報を盗用したりなどすることを未然に防止することが可能となる。
【産業上の利用可能性】
【００４５】
本発明は、ボックス内に設置したハブのケーブル接続口がケーブル通し穴から見えなくて外部から差し込み不可あるいは抜き差し不可の場所に配置すると共に鍵を設け、不用意な情報の漏洩の発生を未然に防止することが可能となる。
【図面の簡単な説明】
【００４６】
【図１】本発明の実施例構造図である。
【図２】本発明の説明図である。
【図３】本発明の他の実施例構造図である。
【図４】本発明の他の実施例構造図である。
【図５】本発明の他の実施例構造図である。
【図６】本発明の事務所内での設定例である。
【符号の説明】
【００４７】
１：ボックス
２：ハブ固定金具
２１：ポート隠し板
３：ハブ
４：接続口
５，５１：ケーブル通し穴
６：ケーブル通し
７：カバー
８：区画（１）
９：区画（２）
１１：鍵
１２：自立用金具
１３：机
【図１】
2006294801.tif 000003
【図２】
2006294801.tif 000004
【図３】
2006294801.tif 000005
【図４】
2006294801.tif 000006
【図５】
2006294801.tif 000007
【図６】
2006294801.tif 000008